(57)【要約】【課題】本発明は、クリーンルーム等の室内の空調システム及びこの室内に配置される冷蔵庫及びフリーザ等の冷凍装置に関する。室内にフリーザ又は冷蔵庫等の冷凍装置を設置した場合、この冷凍装置から暖かい排気が噴出されたり、細かなゴミが噴出されたりする。本発明は、この点に鑑みて為されたものであり、冷凍装置による室内への影響を抑えることを目的とする。【解決手段】室内に置かれた冷蔵庫及びフリーザ等の冷凍装置からの排気を、この冷凍装置から排気ダクトを介して室外に送り出すことにより、前記冷凍装置からの排気が室内に直接排出されることを防止する。また、このために、冷蔵庫及びフリーザ等の冷凍装置において、室外から直接給気するための給気用筒部と、排気を室内に放出することなく室外に導くための排気用筒部を備えたことを特徴とする。【選択図】  図２
2004156803.tif 000002
【特許請求の範囲】
【請求項１】
室内に置かれた冷蔵庫及びフリーザ等の冷凍装置（１）からの排気を、この冷凍装置（１）から排気ダクト（２６）を介して室外に送り出すことにより、前記冷凍装置（１）からの排気が室内に直接排出されることを防止したことを特徴とする空調システム。
【請求項２】
室内に置かれた冷蔵庫及びフリーザ等の冷凍装置（１）への給気及び排気を行うための給気ダクト（２７）及び排気ダクト（２６）を設けることにより、前記冷凍装置（１）の給気及び排気による室内への影響を抑えたことを特徴とする空調システム。
【請求項３】
冷蔵庫及びフリーザ等の冷凍装置（１）において、排気を室内に放出することなく室外に導くための排気用筒部（８）を備えたことを特徴とする冷凍装置。
【請求項４】
冷蔵庫及びフリーザ等の冷凍装置（１）において、室外から直接給気するための給気用筒部（１０）と、排気を室内に放出することなく室外に導くための排気用筒部（８）を備えたことを特徴とする冷凍装置。
【発明の詳細な説明】
【０００１】
【発明の属する技術分野】
本発明は、クリーンルーム等の室内の空調システム及びこの室内に配置される冷蔵庫及びフリーザ等の冷凍装置に関する。
【０００２】
【従来の技術】
従来より、室内の空気を循環させる空調システムが知られている。（特開２００１−１３３００１号公報参照）。
【０００３】
【特許文献】
特開平２００１−１３３００１号公報
【０００４】
【発明が解決しようとする課題】
しかしながら、室内にフリーザ又は冷蔵庫等の冷凍装置を設置した場合、この冷凍装置から暖かい排気が噴出されたり、細かなゴミが噴出されたりする。つまり、図１に示すように、フリーザ１は、上部に貯蔵室２を備え、下部に機械室３を備えている。この機械室３には、コンプレッサ４、コンプレッサ４で圧縮され高温となった冷媒を冷やす凝縮器５、この凝縮器５を空気で冷やすためのファン６が設けられている。そして、このフリーザ１の冷却運転時には、フリーザの機械室３の前面から空気を吸い、後面に放出することとなる。
【０００５】
そこで本発明は、上記の点に鑑みて為されたものであり、冷凍装置による室内への影響を抑えることを目的とする。
【０００６】
【課題を解決するための手段】
本発明は、室内に置かれた冷蔵庫及びフリーザ等の冷凍装置１からの排気を、この冷凍装置１から排気ダクト２６を介して室外に送り出すことにより、前記冷凍装置１からの排気が室内に直接排出されることを防止した空調システムである。
【０００７】
また、本発明は、室内に置かれた冷蔵庫及びフリーザ等の冷凍装置１への給気及び排気を行うための、給気ダクト２７及び排気ダクト２６を設けることにより、前記冷凍装置の給気及び排気による室内への影響を抑えたことを特徴とする空調システムである。
【０００８】
また、本発明は、冷蔵庫及びフリーザ等の冷凍装置１において、排気を室内に放出することなく室外に導くための排気用筒部８を備えたことを特徴とする。
【０００９】
また、本発明は、冷蔵庫及びフリーザ等の冷凍装置１において、室外から直接給気するための給気用筒部１０と、排気を室内に放出することなく室外に導くための排気用筒部８を備えたことを特徴とする。
【００１０】
【発明の実施の形態】
以下、本発明の第１の実施の形態を図２、図３に基づき説明する。
【００１１】
図１は、フリーザである冷凍装置の図である。図２は、その斜視図である。図３は空調システムを説明するための図である。
【００１２】
図２，図３に示すように、フリーザ１は、上部に貯蔵室２を備え、下部に機械室３を備えている。この機械室３には、コンプレッサ４、コンプレッサ４で圧縮され高温となった冷媒を冷やす凝縮器５、この凝縮器５を空気で冷やすためのファン６が設けられている。そして、この機械室３の後方には、カバー７が取り付けられ、排気用筒部８が設けらている。
【００１３】
このカバー７は、機械室３の後面（排気の排出面）に取り付けられて、排気を集める。この排気は、排気用筒部８より外部に排出される。フリーザ１を室内に置き、排気用筒部８の先端を室外に位置させれば、この排気用筒部８からの排気は直接室外に排気され、冷凍装置１からの排気による室内への影響を抑えられる。
【００１４】
図４にその例を示す。この例では、空気を循環するようにしている。つまり、フリーザ１からの排気は、室内２０を介することなく直接室外に運ばれる。そして、熱交換器２１で熱交換される。更に、熱交換器２２、リターン口２３を経て室内に戻される。室内２０の空気は、換気口２４から排気される。２５はエアコンである。
【００１５】
図５に、室内２０にフリーザ１が複数有る場合を示す。この場合、一本の排気ダクト２６で複数のフリーザ１からの排気を集めて構成を簡素化している。
【００１６】
尚、今までの実施形態では、排気系のみを独立させることについて述べたが、本願は別にこれに限定される訳ではない。
【００１７】
つまり、図６〜図８の如く、給気系も独立してもよい。
【００１８】
図６に示すように、フリーザ１の機械室３の前方には、カバー９が取り付けられ、給気用筒部９が設けらている。このカバー９により、機械室３には給気用筒部９以外からの空気が流入することを防止している。
【００１９】
つまり、図７に示すように、室内２０を介さずに給気するようにしてもよい。
【００２０】
また、図８に示すように、室内２０にフリーザ１が複数有る場合は、一本の排気ダクト２６と１本の給気ダクト２７で複数のフリーザ１への排気及び給気を行い、構成を簡素化してもよい。
【００２１】
また、本実施形態では、フリーザ１の機械室３の一部又は前後をカバー７又は／及び９で覆うので、防音についての効果を得ることもできる。
【００２２】
【発明の効果】
以上のように本発明によれば、冷凍装置１からの排気等による室内への影響を抑えることが出来る。
【図面の簡単な説明】
【図１】従来の冷凍装置の断面図である。
【図２】本願の第１実施形態の冷凍装置の断面図である。
【図３】この第１実施形態の冷凍装置の斜視図である。
【図４】第１実施形態の冷凍装置による排気システム（空調システム）を説明するための図である。
【図５】第１実施形態の冷凍装置による別の例の排気システム（空調システム）を説明するための図である。
【図６】本願の第２実施形態の冷凍装置の断面図である。
【図７】第２実施形態の冷凍装置による給排気システム（空調システム）を説明するための図である。
【図８】第２実施形態の冷凍装置による別の例の給排気システム（空調システム）を説明するための図である。
【符号の説明】
１  フリーザ（冷凍装置）、
３  機械室、
７  カバー、
８  排気用筒部、
９  カバー、
１０  給気用筒部、
２０  室内、
２６  排気ダクト、
２７  給気ダクト。
【図１】
2004156803.tif 000003
【図２】
2004156803.tif 000004
【図３】
2004156803.tif 000005
【図４】
2004156803.tif 000006
【図５】
2004156803.tif 000007
【図６】
2004156803.tif 000008
【図７】
2004156803.tif 000009
【図８】
2004156803.tif 000010